【手続補正書】
【提出日】平成17年7月4日(2005.7.4)
【手続補正１】
【補正対象書類名】明細書
【補正対象項目名】特許請求の範囲
【補正方法】変更
【補正の内容】
【特許請求の範囲】
【請求項１】
バッテリにより駆動可能なデータ送信装置であって、
バッテリ残量を検知するバッテリ残量検出手段と、
前記バッテリ残量に基づいて送信可能データサイズを取得する送信可能データサイズ取得手段と、
送信指定されたデータの送信にかかる総送信データサイズを取得する総送信データサイズ取得手段と、
前記総送信データサイズと、前記送信可能データサイズとを比較する比較手段と、
前記送信可能データサイズが前記総送信データサイズより小さい場合に、前記送信指定されたデータの少なくとも一部が送信不可能であることを警告する警告手段と
を有することを特徴とする送信装置。
【請求項２】
前記送信可能データサイズが前記総送信データサイズより小さい場合に、送信するデータを再指定する再指定手段を更に有することを特徴とする請求項１に記載の送信装置。
【請求項３】
前記再指定手段は、複数の方法のいずれかにより送信するデータを再指定することを特徴とする請求項２に記載の送信装置。
【請求項４】
前記複数の方法は、送信指定されたデータを自動的にサマライズする第１の方法と、全データの中からユーザーが送信するデータを選択する第２の方法と、予め入力されたユーザーの嗜好情報に基づいて送信するデータを自動的に選択する第３の方法と、予め入力されたユーザーの嗜好情報に基づいて自動的に選択されたデータの中から、ユーザーが送信するデータを選択する第４の方法の少なくとも１つを含むことを特徴とする請求項３に記載の送信装置。
【請求項５】
前記送信可能データサイズは、前記バッテリ残量により実際にデータを送信可能であると予測されるデータサイズから、所定データサイズを差し引いたデータサイズであることを特徴とする請求項１乃至４のいずれかに記載の送信装置。
【請求項６】
バッテリにより駆動可能な送信装置の制御方法であって、
バッテリ残量を検知するバッテリ残量検出工程と、
前記バッテリ残量に基づいて送信可能データサイズを取得する送信可能データサイズ取得工程と、
送信指定されたデータの送信にかかる総送信データサイズを取得する総送信データサイズ取得工程と、
前記総送信データサイズと、前記送信可能データサイズとを比較する比較工程と、
前記送信可能データサイズが前記総送信データサイズより小さい場合に、前記送信指定されたデータの少なくとも一部が送信不可能であることを警告する警告工程と
を有することを特徴とする制御方法。
【請求項７】
前記送信可能データサイズが前記総送信データサイズより小さい場合に、送信するデータを再指定する再指定工程を更に有することを特徴とする請求項６に記載の制御方法。
【請求項８】
前記再指定工程では、複数の方法のいずれかにより送信するデータを再指定することを特徴とする請求項７に記載の制御方法。
【請求項９】
前記複数の方法は、送信指定されたデータを自動的にサマライズする第１の方法と、全データの中からユーザーが送信するデータを選択する第２の方法と、予め入力されたユーザーの嗜好情報に基づいて送信するデータを自動的に選択する第３の方法と、予め入力されたユーザーの嗜好情報に基づいて自動的に選択されたデータの中から、ユーザーが送信するデータを選択する第４の方法の少なくとも１つを含むことを特徴とする請求項８に記載の制御方法。
【請求項１０】
前記送信可能データサイズは、前記バッテリ残量により実際にデータを送信可能であると予測されるデータサイズから、所定データサイズを差し引いたデータサイズであることを特徴とする請求項６乃至９のいずれかに記載の制御方法。
【請求項１１】
請求項６乃至１０のいずれかに記載の制御方法を実現するためのプログラムコードを有する情報処理装置が実行可能なプログラム。
【請求項１２】
請求項１１に記載のプログラムを記憶した記憶媒体。
【請求項１３】
バッテリにより駆動可能な受信装置であって、
バッテリ残量を検知するバッテリ残量検出手段と、
外部装置から配信されるデータの通信レートを取得する通信レート取得手段と、
前記バッテリ残量及び通信レートに基づいて受信可能データサイズを取得する受信可能データサイズ取得手段と、
配信を受けるデータを指定する指定手段と、
配信指定したデータの総配信データサイズを取得する総配信データサイズ取得手段と、
前記総配信データサイズと、前記受信可能データサイズとを比較する比較手段と、
前記受信可能データサイズが前記総配信データサイズより小さい場合に、前記配信指定したデータの少なくとも一部が受信不可能であることを警告する警告手段と
を有することを特徴とする受信装置。
【請求項１４】
前記受信可能データサイズが前記総配信データサイズより小さい場合に、配信を受けるデータを再指定する再指定手段を更に有することを特徴とする請求項１３に記載の受信装置。
【請求項１５】
前記再指定手段は、複数の方法のいずれかにより配信を受けるデータを再指定することを特徴とする請求項１４に記載の受信装置。
【請求項１６】
前記複数の方法は、配信指定されたデータを自動的にサマライズする第１の方法と、全データの中からユーザーが配信を受けるデータを選択する第２の方法と、予め入力されたユーザーの嗜好情報に基づいて配信するデータを自動的に選択する第３の方法と、予め入力されたユーザーの嗜好情報に基づいて自動的に選択されたデータの中から、ユーザーが配信を受けるデータを選択する第４の方法の少なくとも１つを含むことを特徴とする請求項１５に記載の受信装置。
【請求項１７】
前記受信可能データサイズは、前記バッテリ残量により実際にデータを受信可能であると予測されるデータサイズから、所定データサイズを差し引いたデータサイズであることを特徴とする請求項１３乃至１６のいずれかに記載の受信装置。
【請求項１８】
バッテリにより駆動可能な受信装置の制御方法であって、
バッテリ残量を検知するバッテリ残量検出工程と、
外部装置から配信されるデータの通信レートを取得する通信レート取得工程と、
前記バッテリ残量及び通信レートに基づいて受信可能データサイズを取得する受信可能データサイズ取得工程と、
配信を受けるデータを指定する指定工程と、
配信指定したデータの総配信データサイズを取得する総配信データサイズ取得工程と、
前記総配信データサイズと、前記受信可能データサイズとを比較する比較工程と、
前記受信可能データサイズが前記総配信データサイズより小さい場合に、前記受信指定されたデータの少なくとも一部が受信不可能であることを警告する警告工程と
を有することを特徴とする制御方法。
【請求項１９】
前記受信可能データサイズが前記総配信データサイズより小さい場合に、配信を受けるデータを再指定する再指定工程を更に有することを特徴とする請求項１８に記載の制御方法。
【請求項２０】
前記再指定工程では、複数の方法のいずれかにより受信するデータを再指定することを特徴とする請求項１９に記載の制御方法。
【請求項２１】
前記複数の方法は、配信指定されたデータを自動的にサマライズする第１の方法と、全データの中からユーザーが配信を受けるデータを選択する第２の方法と、予め入力されたユーザーの嗜好情報に基づいて配信するデータを自動的に選択する第３の方法と、予め入力されたユーザーの嗜好情報に基づいて自動的に選択されたデータの中から、ユーザーが配信を受けるデータを選択する第４の方法の少なくとも１つを含むことを特徴とする請求項２０に記載の制御方法。
【請求項２２】
前記受信可能データサイズは、前記バッテリ残量により実際にデータを受信可能であると予測されるデータサイズから、所定データサイズを差し引いたデータサイズであることを特徴とする請求項１８乃至２１のいずれかに記載の制御方法。
【請求項２３】
請求項１８乃至２２のいずれかに記載の制御方法を実現するためのプログラムコードを有する情報処理装置が実行可能なプログラム。
【請求項２４】
請求項２３に記載のプログラムを記憶した記憶媒体。
【手続補正２】
【補正対象書類名】明細書
【補正対象項目名】０００１
【補正方法】変更
【補正の内容】
【０００１】
【発明の属する技術分野】
本発明は、バッテリにより駆動可能な送信装置及び受信装置並びにこれらの制御方法に関するものである。
【手続補正３】
【補正対象書類名】明細書
【補正対象項目名】０００７
【補正方法】変更
【補正の内容】
【０００７】
【課題を解決するための手段】
本発明に係る送信装置は、バッテリにより駆動可能な送信装置であって、バッテリ残量を検知するバッテリ残量検出手段と、前記バッテリ残量に基づいて送信可能データサイズを取得する送信可能データサイズ取得手段と、送信指定されたデータの送信にかかる総送信データサイズを取得する総送信データサイズ取得手段と、前記総送信データサイズと、前記送信可能データサイズとを比較する比較手段と、前記送信可能データサイズが前記総送信データサイズより小さい場合に、前記送信指定されたデータの少なくとも一部が送信不可能であることを警告する警告手段とを有する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、本発明に係る受信装置は、バッテリにより駆動可能な受信装置であって、バッテリ残量を検知するバッテリ残量検出手段と、外部装置から配信されるデータの通信レートを取得する通信レート取得手段と、前記バッテリ残量及び通信レートに基づいて受信可能データサイズを取得する受信可能データサイズ取得手段と、配信を受けるデータを指定する指定手段と、配信指定したデータの総配信データサイズを取得する総配信データサイズ取得手段と、前記総配信データサイズと、前記受信可能データサイズとを比較する比較手段と、前記受信可能データサイズが前記総配信データサイズより小さい場合に、前記配信指定したデータの少なくとも一部が受信不可能であることを警告する警告手段とを有する。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
また、本発明に係る制御方法は、バッテリにより駆動可能な送信装置の制御方法であって、バッテリ残量を検知するバッテリ残量検出工程と、前記バッテリ残量に基づいて送信可能データサイズを取得する送信可能データサイズ取得工程と、前記総送信データサイズと、前記送信可能データサイズとを比較する比較工程と、前記送信可能データサイズが前記総送信データサイズより小さい場合に、前記送信指定されたデータの少なくとも一部が送信不可能であることを警告する警告工程とを有する。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
また、本発明に係る他の制御方法は、バッテリにより駆動可能な受信装置の制御方法であって、バッテリ残量を検知するバッテリ残量検出工程と、外部装置から配信されるデータの通信レートを取得する通信レート取得工程と、前記バッテリ残量及び通信レートに基づいて受信可能データサイズを取得する受信可能データサイズ取得工程と、配信を受けるデータを指定する指定工程と、配信指定したデータの総配信データサイズを取得する総配信データサイズ取得工程と、前記総配信データサイズと、前記受信可能データサイズとを比較する比較工程と、前記受信可能データサイズが前記総配信データサイズより小さい場合に、前記受信指定されたデータの少なくとも一部が受信不可能であることを警告する警告工程とを有する。
【手続補正１０】
【補正対象書類名】明細書
【補正対象項目名】００１４
【補正方法】削除
【補正の内容】
【手続補正１１】
【補正対象書類名】図面
【補正対象項目名】図７
【補正方法】変更
【補正の内容】
【図７】
2004040457.tif 000001